(57)【要約】      （修正有）【課題】一枚の素材を立体裁断し、包みこむことによる簡易型の、ギブス、又は包帯の防汚、滑り止め、歩行の安全を目的としたカバーの提供。【解決手段】本体１の表側に、接合部２ａ、４ａを、裏側に、接合部３ａ、５ａ、を設ける。この接合部は、貼り付け及び、分離可能な構造とし、ギブス、又、包帯を包み込めることにより、防汚、滑り止め、歩行の安全に役立つ。以上のことを特徴とする、外出用簡易医療用カバー。【選択図】図１
0003120206.tif 000002
【実用新案登録請求の範囲】
【請求項１】
本体１の２、４、表側に、接合部２ａ、４ａを３，５、裏側に、接合部３ａ、５ａ、を設ける。
この接合部は、貼り付け及び、分離可能な構造とし、ギブス、又、包帯を包み込めるようにすることによって汚れを防止し、底面に滑り止めを付けることによって安全な歩行を助けることを特徴とする外出用簡易医療用カバー。
【考案の詳細な説明】
【技術分野】
【０００１】この考案は、立体裁断による簡易型の外出用簡易医療用カバーに関するものである
【背景技術】
【０００２】これまでのカバーは、薄手の紙製や、ビニールの袋状のものが、広く知られている
【考案が解決しようとする課題】
【０００３】従来のカバーでは、強度が足らず、すぐに破れてしまい、ギブスや包帯に汚れがつきやすく、また、破損も多く、その上滑りやすく危険であった。
【課題を解決するための手段】
【０００４】これらの問題を解決するために、カバー本体１の２，３，４，５部にそれぞれ、接合部２ａ、３ａ、４ａ、５ａ、を設けこれを着脱自在で、接合可能に構成する８に切り取りのための目安線を設け利用者のギブス、又は、包帯を巻かれた足のサイズにあわせ切り取りやすくする。
底面部に９を滑り止めとして設ける
以上の構成によりなる外出用簡易医療用カバーである。
【考案の効果】
【０００５】上述のような構成のカバーにおいて、切り取り線で簡単にサイズを合わせることができまた、その各々の接合部をギブス、又は、包帯の大きさに合わせて調節しながら貼着すれば、カバーはギブス、又は包帯に包まれた足に柔軟に対応し容易に外れず、また、接合部をはがせば、ギブス、包帯に、何等の衝撃を与えることなく取り外すことができる
【考案を実施するための最良の形態】
【０００６】カバー本体の、つま先側、かかと側に、それぞれ接合部を設け、ギブス、又は包帯を包み込むように固定する。
利用者のサイズにあわせ、接合部を調整できる構造とする。
長さも調整しやすいよう、切り取ることが可能な構造とする。
また、底面部に滑り止めを付ける。
【実施例１】
【０００７】以下、図面により実施例について説明する。
図１はカバーを広げた状態を示す図である。
本考案は、本体１の素材に、ポリプロピレン、エチレン、ビニールアセテート、皮革、合成樹脂シート、発泡合成樹脂等、柔軟性のある素材を使用する。
図２は接合部を表側に出した図である。
接合部には、マジックテープ等、確実な貼着が確保できる素材を使用する。【０００８】図３はカバー底面を示した図である。
カバー底裏には、滑り止めを付し、歩行の安全と歩きやすさを確保する。
図４は装着した状態を示す斜視図である。
図５は装着した状態を示す側面図である。
このような構成のカバーを使用するときは、先ず、ギブス、又は、包帯をつけた足を本体中央に載せ、６を立て、それに踵の部分を合わせ、つま先部分の長さを切り取り目安線８に合わせ切り取る。【０００９】次いで、足の甲の部分に合わせて２，３、を調節しながら接合部において貼着する。
次いで、踵の部分にあわせ、６、を立て、その外側を４，５、で調節しながら貼着する。
これにより、カバーはギブス、又は、包帯にくるまれた足に密着し、脱落することはない。【００１０】また、それぞれの接合部において、貼着部分を引き剥がせば、ギブス、及び、包帯に何等の衝撃を与えずに、至極簡単にカバーをはずすことができる。
このカバーはギブス、又は、包帯が直接に地面又は床に触れることによる汚れ、破損を防止し、カバー底面の滑り止めのため、歩行の安全が確保され、安全、清潔で、快適に歩くことができる。【００１１】未使用時は広げれば一枚の平面になるので、医療現場などで大量に保管する場合にも、重ねて保管ができるため、場所をとらずに済むカバーの色は、医療に明るいイメージを感じさせるような色彩を選択する。
カバーの大きさは、利用者のサイズに合わせて切り取り線で対応できる大きさとする。
カバーは左右兼用とする。
【産業上の利用可能性】
【００１２】上述のとおり、本考案によれば、ギブス、包帯の大きさに応じて、切り取り目安線で簡単にサイズを合わせられ着脱自在の接合部を調節することにより、カバーはギブス、包帯に密着し、簡易に脱落せず、底面の滑り止めによって、不自由なギブス、包帯等による歩行の安全が確保される。
このようにギブス、包帯の汚れ、破損を防止し、衛生的で安全、快適な治療生活を過ごすのに大きな効果がある。
【図面の簡単な説明】
【図１】カバーを広げた状態を示す図である。
【図２】接合部を表側に出した図である。
【図３】カバー底面を示した図である。
【図４】カバーを装着した状態を示す斜視図である。
【図５】カバーを装着した状態を示す側面図である。
【符号の説明】
１、本体
２、本体つま先側巻上げ部左
３、本体つま先側巻上げ部右
４、本体かかと側接合部左
５、本体かかと側接合部右
２ａ、３ａ、４ａ、５ａ、接合部、マジックテープ等
６、かかと部つまみ
７、切り込み
８、切り取り目安線
９、底部滑り止め
１０、ギブス、又は包帯
【図１】
0003120206.tif 000003
【図２】
0003120206.tif 000004
【図３】
0003120206.tif 000005
【図４】
0003120206.tif 000006
【図５】
0003120206.tif 000007
【手続補正書】
【提出日】平成17年12月12日(2005.12.12)
【手続補正１】
【補正対象書類名】実用新案登録請求の範囲
【補正対象項目名】全文
【補正方法】変更
【補正の内容】
【実用新案登録請求の範囲】
【請求項１】
本体のつま先側巻上げ部左の表側、かかと側接合部左、表側に、面ファスナーを、つま先側巻上げ部右の裏側，かかと側接合部右の裏側に、面ファスナーを設け、この接合部は、貼り付け及び、分離可能な構造とし、ギブス、又、包帯を包み込めるようにすることによって汚れを防止し、底面に滑り止めを付けることによって安全な歩行を助けることを特徴とする外出用簡易医療用カバー。
【手続補正２】
【補正対象書類名】明細書
【補正対象項目名】全文
【補正方法】変更
【補正の内容】
【考案の詳細な説明】
【技術分野】
【０００１】この考案は、立体裁断による簡易型の外出用簡易医療用カバーに関するものである。
【背景技術】
【０００２】これまでのカバーは、薄手の紙製や、ビニールの袋状のものが、広く知られている。
【考案が解決しようとする課題】
【０００３】従来のカバーでは、強度が足らず、すぐに破れてしまい、ギブスや包帯に汚れがつきやすく、また、破損も多く、その上滑りやすく危険であった。
【課題を解決するための手段】
【０００４】これらの問題を解決するために、カバー本体のつま先側巻上げ部左、つま先側巻上げ部右、かかと側接合部左、かかと側接合部右に、それぞれ面ファスナーを設け、これを着脱自在で接合可能に構成し、本体つま先部に切り取りのための目安線を設け、利用者のギブス、又は、包帯を巻かれた足のサイズにあわせ切り取りやすくする。底面部に滑り止めを設ける
以上の構成によりなる外出用簡易医療用カバーである。
【考案の効果】
【０００５】上述のような構成のカバーにおいて、切り取り線で簡単にサイズを合わせることができまた、その各々の接合部をギブス、又は、包帯の大きさに合わせて調節しながら貼着すれば、カバーはギブス、又は包帯に包まれた足に柔軟に対応し容易に外れず、また、接合部をはがせば、ギブス、包帯に、何等の衝撃を与えることなく取り外すことができる。
【考案を実施するための最良の形態】
【０００６】カバー本体の、つま先側、かかと側に、それぞれ接合部を設け、ギブス、又は包帯を包み込むように固定する。利用者のサイズにあわせ、接合部を調整できる構造とする。長さも調整しやすいよう、切り取ることが可能な構造とする。
また、底面部に滑り止めを付ける。
【実施例１】
【０００７】以下、図面により実施例について説明する。
図１はカバーを広げた状態を示す図である。
本考案は、本体１の素材に、ポリプロピレン、エチレン、ビニールアセテート、皮革、合成樹脂シート、発泡合成樹脂等、柔軟性のある素材を使用する。
図２は接合部を表側に出した図である。
接合部には、面ファスナー等、確実な貼着が確保できる素材を使用する。【０００８】図３はカバー底面を示した図である。
カバー底裏には、滑り止めを付し、歩行の安全と歩きやすさを確保する。
図４は装着した状態を示す斜視図である。
図５は装着した状態を示す側面図である。
このような構成のカバーを使用するときは、先ず、ギブス、又は、包帯をつけた足を本体中央に載せ、かかと部つまみを立て、それに踵の部分を合わせ、つま先部分の長さを切り取り目安線に合わせ切り取る。【０００９】次いで、足の甲の部分に合わせてつま先側巻上げ部左、つま先側巻上げ部右を調節しながら接合部において貼着する。
次いで、踵の部分にあわせ、かかと部つまみを立て、その外側をかかと側接合部左、かかと側接合部右で調節しながら貼着する。
これにより、カバーはギブス、又は、包帯にくるまれた足に密着し、脱落することはない。【００１０】また、それぞれの接合部において、貼着部分を引き剥がせば、ギブス、及び、包帯に何等の衝撃を与えずに、至極簡単にカバーをはずすことができる。
このカバーはギブス、又は、包帯が直接に地面又は床に触れることによる汚れ、破損を防止し、カバー底面の滑り止めのため、歩行の安全が確保され、安全、清潔で、快適に歩くことができる。【００１１】未使用時は広げれば一枚の平面になるので、医療現場などで大量に保管する場合にも、重ねて保管ができるため、場所をとらずに済む
カバーの色は、医療に明るいイメージを感じさせるような色彩を選択する。
カバーの大きさは、利用者のサイズに合わせて切り取り線で対応できる大きさとする。
カバーは左右兼用とする。
【産業上の利用可能性】
【００１２】上述のとおり、本考案によれば、ギブス、包帯の大きさに応じて、切り取り目安線で簡単にサイズを合わせられ着脱自在の接合部を調節することにより、カバーはギブス、包帯に密着し、簡易に脱落せず、底面の滑り止めによって、不自由なギブス、包帯等による歩行の安全が確保される。
このようにギブス、包帯の汚れ、破損を防止し、衛生的で安全、快適な治療生活を過ごすのに大きな効果がある。
【図面の簡単な説明】
【図１】カバーを広げた状態を示す図である。
【図２】接合部を表側に出した図である。
【図３】カバー底面を示した図である。
【図４】カバーを装着した状態を示す斜視図である。
【図５】カバーを装着した状態を示す側面図である。
【符号の説明】
１、    本体
２、    本体つま先側巻上げ部左
３、    本体つま先側巻上げ部右
４、    本体かかと側接合部左
５、    本体かかと側接合部右
２ａ、３ａ、４ａ、５ａ、    接合部、面ファスナー
６、    かかと部つまみ
７、    切り込み
８、    切り取り目安線
９、    底部滑り止め
１０、    ギブス、又は包帯
【手続補正３】
【補正対象書類名】図面
【補正対象項目名】全図
【補正方法】変更
【補正の内容】
【図１】
0003120206.tif 000008
【図２】
0003120206.tif 000009
【図３】
0003120206.tif 000010
【図４】
0003120206.tif 000011
【図５】
0003120206.tif 000012